(57)【要約】【課題】ユーザが使用したい機能を実現可能な画面を使用したいときに表示することができる電子機器を提供する。【解決手段】所定の機能を実現する１以上の操作キーを含む画面を表示する表示手段と、表示手段により表示された画面に対する入力を受け付ける受付手段と、受付手段により受け付けられた画面に対する入力内容を記憶する記憶手段と、受付手段により受け付けられる画面に対する入力が有効かどうかを判定する入力判定手段と、入力判定手段により受付手段で受け付けられる画面に対する入力が無効であると判定されたとき、記憶手段に記憶された入力内容に応じた適切な画面を表示手段に表示させる制御手段と、を備える。【選択図】図８
2015156121.tif 000002
【特許請求の範囲】
【請求項１】
所定の機能を実現する１以上の操作キーを含む画面を表示する表示手段と、
前記表示手段により表示された画面に対する入力を受け付ける受付手段と、
前記受付手段により受け付けられた画面に対する入力内容を記憶する記憶手段と、
前記受付手段により受け付けられる前記画面に対する入力が有効かどうかを判定する入力判定手段と、
前記入力判定手段により前記受付手段で受け付けられる前記画面に対する入力が無効であると判定されたとき、前記記憶手段に記憶された入力内容に応じた適切な画面を前記表示手段に表示させる制御手段と、
を備えることを特徴とする電子機器。
【請求項２】
前記入力判定手段は、前記受付手段により受け付けられる前記画面に対する入力が予め定められた時間ないとき、前記画面に対する入力が無効であると判定することを特徴とする請求項１記載の電子機器。
【請求項３】
前記入力判定手段は、前記画面に対して同一の入力が繰り返し行われたとき、前記画面に対する入力が無効であると判定することを特徴とする請求項１又は２記載の電子機器。
【請求項４】
前記入力判定手段は、前記画面に対して入力されてから予め定められた時間を経過しても前記入力に応じて実現される機能が実行されないとき、前記画面に対する入力が無効であると判定することを特徴とする請求項１から３の何れか１項に記載の電子機器。
【請求項５】
前記入力判定手段は、前記画面に対する入力に応じて実現される機能が実行された後、さらに前記入力と同様の入力が行われたとき、前記画面に対する入力が無効であると判定することを特徴とする請求項１から４の何れか１項に記載の電子機器。
【請求項６】
前記画面に対する入力内容には少なくとも前記画面に対して以前に入力を行ったユーザに関する情報が含まれ、
前記制御手段は、前記入力判定手段により前記受付手段で受け付けられる前記画面に対する入力が無効であると判定されたとき、前記以前に入力を行ったユーザに関する情報を前記表示手段に表示させることを特徴とする請求項１から５の何れか１項に記載の電子機器。
【請求項７】
前記制御手段は、前記入力判定手段により前記受付手段で受け付けられる前記画面に対する入力が無効であると判定されたとき、ネットワークにより接続された外部機器から当該外部機器の記憶手段に記憶された当該外部機器の画面に対する入力内容を取得し、取得した該入力内容に応じた適切な画面を前記表示手段に表示させることを特徴とする請求項１から６の何れか１項に記載の電子機器。
【請求項８】
所定の機能を実現する１以上の操作キーを含む画面を表示部に表示する工程と、
前記表示部に表示された画面に対する入力を受け付ける工程と、
前記画面に対する入力内容を記憶部に記憶する工程と、
前記画面に対する入力が有効かどうかを判定する工程と、
前記画面に対する入力が無効であると判定されたとき、前記記憶部に記憶された入力内容に応じた適切な画面を前記表示部に表示させる工程と、
を備えることを特徴とする情報処理方法。
【請求項９】
所定の機能を実現する１以上の操作キーを含む画面を表示部に表示する処理と、
前記表示部に表示された画面に対する入力を受け付ける処理と、
前記画面に対する入力内容を記憶部に記憶する処理と、
前記画面に対する入力が有効かどうかを判定する処理と、
前記画面に対する入力が無効であると判定されたとき、前記記憶部に記憶された入力内容に応じた適切な画面を前記表示部に表示させる処理と、
をコンピュータに実行させることを特徴とするプログラム。
【請求項１０】
ネットワークを通じた遠隔操作により所定の電子機器が有する所定の機能を実現する操作端末であって、
所定の機能を実現する１以上の操作キーを含む画面を表示する表示手段と、
前記表示手段により表示された画面に対する入力を受け付ける受付手段と、
前記受付手段により受け付けられた画面に対する入力内容を記憶する記憶手段と、
前記受付手段により受け付けられる前記画面に対する入力が有効かどうかを判定する入力判定手段と、
前記入力判定手段により前記受付手段で受け付けられる前記画面に対する入力が無効であると判定されたとき、前記記憶手段に記憶された入力内容に応じた適切な画面を前記表示手段に表示させる制御手段と、
を備えることを特徴とする操作端末。
【発明の詳細な説明】
【技術分野】
【０００１】
本発明は、電子機器、情報処理方法、プログラム、及び操作端末に関する。
【背景技術】
【０００２】
近年、多数の従業員が就業する職場などにおいて、複数台の複写機が設置されている状況は珍しくない。また、複写機のメーカも多数存在し、各メーカから様々な機能を搭載した複写機が提供されている。
【０００３】
ところで、上記の複写機には、複写や印刷のような基本的な機能に加え、印刷する画像等を拡大・縮小する機能や、画像等を印刷するときの濃淡を調整する機能等を実現するために、ユーザの操作を受け付ける操作キーが配置されたタッチパネル式の操作画面が設けられていることが知られている。また、このような操作画面のレイアウトは、各メーカから提供される複写機ごとに異なっていることが知られている。
【０００４】
操作画面のレイアウトが複写機ごとに異なると、ユーザは複写機ごとに操作内容を覚えなければならず、使い勝手の面で不都合である。これに関し、特許文献１には、操作部における入力キーを、使い勝手よく、かつ容易に設定することを目的として、一の複写機でカスタマイズされた操作パネルの設定を他の複写機に送信する画像データ処理装置が記載されている。
【発明の概要】
【発明が解決しようとする課題】
【０００５】
特許文献１に記載された画像データ処理装置におけるカスタマイズされた操作パネルは、当該操作パネルに表示された機能をすぐに実現することはできる。しかし、当該操作パネルに表示されていない機能をユーザが使用したいときにすぐに実現することができない。つまり、特許文献１に記載された画像データ処理装置の操作パネルの表示は画一的である。このため、例えばユーザが操作パネルに表示されていない機能をリアルタイムに欲している場合に対応できるものではない。
【０００６】
よって、特許文献１に記載されたような制御は、操作パネルに表示されていない機能を実現したいような場合、その機能を実現するための画面を別途表示する操作を行わなければならならないという煩わしさは拭えない。
【０００７】
本発明は、このような実情に鑑みてなされたものであって、ユーザが使用したい機能を実現可能な画面を使用したいときに表示することができる電子機器を提供することを目的とする。
【課題を解決するための手段】
【０００８】
上記の課題を解決するため、本発明の電子機器は、所定の機能を実現する１以上の操作キーを含む画面を表示する表示手段と、表示手段により表示された画面に対する入力を受け付ける受付手段と、受付手段により受け付けられた画面に対する入力内容を記憶する記憶手段と、受付手段により受け付けられる画面に対する入力が有効かどうかを判定する入力判定手段と、入力判定手段により受付手段で受け付けられる画面に対する入力が無効であると判定されたとき、記憶手段に記憶された入力内容に応じた適切な画面を表示手段に表示させる制御手段と、を備えることを特徴とする。
【発明の効果】
【０００９】
本発明によれば、ユーザが使用したい機能を実現可能な画面を使用したいときに表示することができる。
【図面の簡単な説明】
【００１０】
【図１】本発明の実施形態における操作端末を含むシステムの全体構成図である。
【図２】本発明の実施形態における操作端末のハードウェア構成例である。
【図３】本発明の実施形態における機能を含む別システムの全体構成図である。
【図４】本発明の実施形態における電子機器のハードウェア構成例である。
【図５】本発明の実施形態における操作端末及び電気機器に共通する機能ブロック図である。
【図６】本発明の実施形態における記憶手段に記憶される情報の例を示す模式図である。
【図７】本発明の実施形態における電子機器３台によるネットワーク接続構成を示す模式図である。
【図８】本発明の実施形態における情報処理手順について説明するフローチャートである。
【図９】図８におけるステップＳ３の具体的条件を説明する模式図である。
【発明を実施するための形態】
【００１１】
本発明の実施形態における電子機器に関し以下図面を用いて説明するが、本発明の趣旨を越えない限り、何ら本実施形態に限定されるものではない。なお、各図中、同一又は相当する部分には同一の符号を付しており、その重複説明は適宜に簡略化乃至省略する。
【００１２】
本発明は、概略的には、電子機器における所定の機能を実現するための操作内容をユーザが失念している場合に、以前にユーザが行った操作履歴に基づいて適切な画面を表示するというものである。
【００１３】
本実施形態における電子機器を含むシステム構成としては、例えば次のような構成例が挙げられる。例えば、スマートフォン等の操作端末によって遠隔操作されるＭＦＰ（Ｍｕｌｔｉｆｕｎｃｔｉｏｎ  Ｐｅｒｉｐｈｅｒａｌ）等の電子機器とネットワークにより接続された構成例がある。一方で、本実施形態における操作端末の機能を備えたＭＦＰ等の単体のシステムに基づく構成例もある。それぞれの概略について以下に説明する。
【００１４】
なお、操作端末としては、スマートフォンに限らず、デスクトップ型あるいはノート型のパーソナルコンピュータ（以下「ノートＰＣ」という。）やＰＤＡ（Ｐｅｒｓｏｎａｌ  Ｄｉｇｉｔａｌ  Ａｓｓｉｓｔａｎｔ）等の情報処理装置であってもよい。
【００１５】
本実施形態における操作端末を含むシステム構成の一例について図１及び図２を参照して説明する。図１は、本実施形態の操作端末１と、ＭＦＰ１００と、テレビ会議システム２００と、プロジェクタ３００がインターネットやＬＡＮ（Ｌｏｃａｌ  Ａｒｅａ  Ｎｅｔｗｏｒｋ）等のネットワークにより接続されたシステム構成例を示したものである。なお、ネットワークは有線でも無線でもよい。
【００１６】
例えば、操作端末１がスマートフォンである場合、スマートフォンに搭載されるアプリケーションによりＭＦＰ１００、テレビ会議システム２００、プロジェクタ３００等の機器を制御することができる。
【００１７】
また、ユーザは、操作端末１の画面上に表示された情報を見ながら、操作端末１と接続されたＭＦＰ１００等に対する操作をすることができる。また、操作端末１は、ＭＦＰ１００等からステータス信号を受け取ってＭＦＰ１００等の状態を確認することができる。
【００１８】
次に、上述した操作端末１のハードウェア構成例について図２を参照して説明する。操作端末１は、パネル１０とパネルコントローラ２０を含み構成されている。パネル１０は、液晶ディスプレイ等の表示手段である。また、本実施形態において、パネル１０はタッチパネルを備え、タッチパネルに対するユーザの操作を受け付ける受付手段としても機能する。
【００１９】
なお、受付手段としては、タッチパネルに限らず、パネル１０と別構成の物理的な操作ボタン等であってもよい。また、マイクロフォン等の音声認識媒体を用いて、ユーザからの音声入力を受けることにより、操作を受け付けてもよい。
【００２０】
パネルコントローラ２０は、例えば、ＣＰＵ（Ｃｅｎｔｒａｌ  Ｐｒｏｃｅｓｓｉｎｇ  Ｕｎｉｔ）２１、と、揮発性メモリ２２と、不揮発性メモリ２３と、ネットワークＩ／Ｆ２４を含み構成されている。
【００２１】
ＣＰＵ２１は、例えば不揮発性１３メモリに格納されたプログラムを実行することでＭＦＰ１００等に備わる機能を実現するための処理を実行する。揮発性メモリ２２、不揮発性メモリ２３は、ＭＦＰ１００等に備わる機能を実現するための制御プログラムや画像データ等の情報を記憶する記憶手段である。ネットワークＩ／Ｆ２４は、ＭＦＰ１００、テレビ会議システム２００、プロジェクタ３００などとデータ通信を行う通信手段として機能する。
【００２２】
次に、操作端末の機能を備えたＭＦＰ等の電子機器の単体のシステム構成例について図３及び図４を参照して説明する。図３は、本実施形態における操作端末の機能を有するＭＦＰ１５０を示した概略斜視図である。ＭＦＰ１５０には、操作端末の機能を担うための操作パネル１５１が搭載されている。ユーザは操作パネル１５１に表示された情報を確認しながら、表示された操作アイコン等をタッチ操作等により操作することにより、ＭＦＰ１５０の機能を実現させることができる。
【００２３】
上記ＭＦＰ１５０のハードウェア構成例について図４を参照して説明する。ＭＦＰ１５０は、操作パネル１５１と、パネルコントローラ１５２と、印刷エンジン１５３と、読取装置１５４と、状態センサ１５５を含み構成されている。
【００２４】
パネルコントローラ１５２は、ＣＰＵ１５２１と、揮発性メモリ１５２２と、不揮発性メモリ１５２３と、エンジンＩ／Ｆ１５２４と、ネットワークＩ／Ｆ１５２５を含み構成されている。操作パネル１５１とパネルコントローラ１５２については、上述したパネル１０とパネルコントローラ２０と同様の点についての説明は省略する。
【００２５】
エンジンＩ／Ｆ１５２４は印刷エンジン１５３との通信用インターフェースである。ネットワークＩ／Ｆ１５２５は、ＭＦＰ１５０と外部機器４００とを接続するためのインターフェースである。
【００２６】
印刷エンジン１５３は、用紙等の記録媒体に画像等を印刷するための印刷手段である。読取装置１５４は、用紙等の媒体に描かれた画像等を読み取り画像データを生成するスキャナ等の読取手段である。状態センサ１５５は、ＭＦＰ１５０のハードウェア状態や通信状態を検出するためのセンサである。
【００２７】
読取装置１５４で生成された画像データは、パネルコントローラ１５２が備えるネットワークＩ／Ｆ１５２５で外部機器４００へ送信されるか、揮発性メモリ１５２２、不揮発性メモリ１５２３に記憶される。
【００２８】
次に、本実施形態における操作端末及び電子機器に共通する機能ブロックについて図５を参照して説明する。本実施形態における機能ブロックは、表示手段５１と、受付手段５２と、記憶手段５３と、入力判定手段５４と、制御手段５５を含み構成されている。
【００２９】
表示手段５１は、所定の機能を実現する１以上の操作キーを含む画面を表示する上述したパネル１０や操作パネル１５１等である。所定の機能とは、例えば、複写や印刷のような基本的な機能に加え、印刷する画像等を拡大・縮小する機能や、画像等を印刷するときの濃淡を調整する機能等のことである。操作キーは、例えば、パネル１０等に表示された、ユーザ操作を受け付ける操作アイコン等のＧＵＩ（Ｇｒａｐｈｉｃａｌ  Ｕｓｅｒ  Ｉｎｔｅｒｆａｃｅ）である。
【００３０】
受付手段５２は、表示手段５１により表示された画面に対する入力を受け付ける、例えばタッチパネル等をいう。なお、上述したようにタッチパネルに限らず、パネル１０等の表示手段と別構成の物理的な操作ボタン等であってもよい。
【００３１】
記憶手段５３は、受付手段５２により受け付けられた画面に対する入力内容を記憶する上述した不揮発性メモリ２３等である。画面に対する入力内容としては、例えば操作画面に対して以前に入力を行ったユーザに関する情報が含まれるが、詳細については後述する。
【００３２】
入力判定手段５４は、受付手段５２により受け付けられる画面に対する入力が有効かどうかを判定する。具体的には、例えば、入力判定手段５４は、受付手段５２により受け付けられる画面に対する入力が予め定められた時間ないとき、画面に対する入力が無効であると判定する。
【００３３】
一定時間、入力がないときは、ユーザが操作に戸惑っている、あるいは、操作が分からなくなっていると推定できる。本実施形態では、一定時間入力がないとき入力無効と判定することで、その後の画面表示をスムーズに行うことができる。
【００３４】
また、例えば、入力判定手段５４は、画面に対して同一の入力が繰り返し行われたとき、画面に対する入力が無効であると判定する。同一の入力が行われたときも、ユーザが操作に戸惑っている、あるいは、操作が分からなくなっていると推定できる。本実施形態では、同一の入力が繰り返されたとき入力無効と判定することで、その後の画面表示をスムーズに行うことができる。
【００３５】
また、例えば、入力判定手段５４は、画面に対して入力されてから予め定められた時間を経過しても上記入力に応じて実現される機能が実行されないとき、画面に対する入力が無効であると判定する。入力後にその入力に応じた機能が実現されないときは、入力内容に不備があり、機器が正常に入力を受け付けていないと推定される。このような場合に入力無効と判定することで、その後の画面表示をスムーズに行うことができる。
【００３６】
また、例えば、入力判定手段５４は、画面に対する入力に応じて実現される機能が実行された後、さらに上記入力と同様の入力が行われたとき、画面に対する入力が無効であると判定する。所望の機能が実現されたにも関わらず同様の入力がされたとき、ユーザが操作に戸惑っている、あるいは、操作が分からなくなっていると推定できる。このような場合にその後の入力を向こうと判定することで、その後の画面表示をスムーズに行うことができる。
【００３７】
また、制御手段５５は、入力判定手段５４により受付手段５２で受け付けられる画面に対する入力が無効であると判定されたとき、記憶手段５３に記憶された入力内容に応じた適切な画面を表示手段５１に表示させる制御を行う。
【００３８】
また、制御手段５５は、入力判定手段５４により受付手段５２で受け付けられる画面に対する入力が無効であると判定されたとき、以前に入力を行ったユーザに関する情報を表示手段５１に表示させる制御を行ってもよい。
【００３９】
さらに、制御手段５５は、入力判定手段５４により受付手段５２で受け付けられる画面に対する入力が無効であると判定されたとき以下の制御を行ってもよい。それは、ネットワークにより接続された外部機器から当該外部機器の記憶手段に記憶された当該外部機器の画面に対する入力内容を取得し、取得した該入力内容に応じた適切な画面を表示手段５１に表示させる制御である。
【００４０】
このように本実施形態によれば、ユーザが、実施したいと欲している電子機器の機能を実現するための操作内容が分からない、思い出せない、あるいは、勘違いで誤った操作を何度も繰り返しているような場合に対応することができる。つまり、例えば、以前にそのユーザが操作した内容を記憶手段５３に記憶しておき、ユーザが画面に対する何らかの入力を行ってから一定時間経過したとき等に、記憶手段５３に記憶されたユーザの操作内容に基づいて適切な画面を表示手段５１に表示させてやるのである。これにより、ユーザは所望の操作内容が分からなくても、目的の機能を実現するための操作入力をスムーズに行うことができる。
【００４１】
なお、機器の初期使用開始時など、画面に対する入力内容が記憶手段５３に十分に記憶されていないときに備え、予めデフォルトのプリセット操作画面を記憶させておいてもよい。入力判定手段５４により、画面に対する入力が無効と判定された場合に、プリセット画面を表示させてやれば、ユーザは所望の操作を行うことができる。なお、プリセット画面には、例えば、使用頻度の少ないと思われる操作キーを表示した画面などを設けておけばよい。
【００４２】
また、機器の使用アンケートなど、ユーザから機器の使い勝手等についての意見を聴取しておき、これを元に適切な画面を表示制御するためのプログラムを機器に組み込んでおいてもよい。そして、入力判定手段５４により、画面に対する入力が無効と判定された場合に、上記プログラムに基づいて適切な画面を表示させてやればよい。ユーザの意見に基づいて表示された画面であれば、ユーザにとって使い勝手のよい画面であることが担保される。
【００４３】
次に、記憶手段５３に記憶される、画面に対する入力内容について図６を参照して説明する。記憶手段５３に記憶される情報としては、例えば、ユーザ関連情報Ｕ、入力内容Ｉ、入力日時Ｔがある。
【００４４】
ユーザ関連情報Ｕとしては、例えば、ユーザの氏名、ユーザが会社員等であれば所属部署や社員番号が挙げられる。記憶手段５３には、例えば『ある事象が発生した場合に、どの部署の誰がいつどのような入力を行ったか』などユーザ関連情報Ｕと入力内容Ｉと入力日時が紐付けられて記憶される。
【００４５】
そして、例えば、入力判定手段５４により、画面に対する入力が無効と判定された場合に、記憶手段５３に記憶されたユーザ関連情報Ｕ等を表示手段５１に表示させる。このようにすれば、ある事象について操作内容が分からずに戸惑っているユーザは、以前その事象について操作経験のあるユーザを確認することができる。これにより、操作内容が分からないユーザは、操作内容を熟知しているユーザに聞くことで問題を解決することができる。
【００４６】
所定の事象を解決するために行われた画面に対する入力内容Ｉは、ユーザが当該入力を行っていくごとに機器の記憶手段５３に順次蓄積されていく。例えば、ユーザは、自分がどのような事象が発生しているのかすら分からないとき、記憶手段５３に蓄積された入力内容を表示手段５１に列挙表示させることで、ユーザはその列挙された入力内容を確認しながら、所望の入力内容を探すことができる。
【００４７】
その場合、ユーザは、記憶手段５３に記憶された入力日時や、事象ごとに分類されている場合はその分類等に基づいて検索処理をかけてやることにより、所望の入力内容に辿り着くまでの時間を短縮することができる。
【００４８】
次に、上述したＭＦＰ１５０等の電子機器３台がネットワークにより接続されたシステム構成例について図７を参照して説明する。上述したように、制御手段５５は、ネットワークにより接続された外部機器において記憶された入力内容を取得するようにしてもよい。ここでは、電子機器５０１、電子機器５０２、電子機器５０３の３台がネットワーク５１０により接続されている例に基づいて説明する。
【００４９】
例えば、あるユーザが電子機器５０１において、所望の機能を実現したいところ、その機能を実現させるための操作が分からず、電子機器５０１の入力判定手段５４が入力無効と判定したとする。この場合、電子機器５０１の制御手段５５は、ネットワーク５１０を介して電子機器５０２、電子機器５０３の各記憶手段５３に所望の機能を実現させる入力内容が記憶されているか検索する。電子機器５０２、電子機器５０３の各記憶手段５３に所望の機能を実現させる入力内容が記憶されている場合、これを取得し、電子機器５０１の表示手段５１に表示させる制御を行う。
【００５０】
より具体的には、例えば、電子機器５０１において、メール設定のPOP Before SMTPなどを設定する場合がある。この場合、ユーザがそのための設定値が分からず処理を実行できないでいるとき、電子機器５０２や電子機器５０３の記憶装置よりメール設定に関係する設定内容を検索する。そして、電子機器５０２や電子機器５０３の記憶装置において検索された設定内容を電子機器５０１の表示部に表示する。
【００５１】
これにより、ユーザが使用する電子機器に所望の機能を実現するための入力内容が記憶されていなくても、ネットワークに接続された他の電子機器に記憶された入力内容を流用することで、所望の機能を実現することができる。なお、会社内、部署内で機器の設定値を共通にすることがよく行われている。本実施形態により、他の電子機器での検索結果が表示されれば、ユーザは他の電子機器と同様の環境を設定することができる。
【００５２】
次に、本実施形態における情報処理手順について図８を参照して説明する。ここでは、上述した電子機器としてのＭＦＰ１５０を例にして説明する。まず、ＭＦＰ１５０の操作パネル１５１に所定の操作画面が表示されているものとする。ユーザは操作パネル１５１に対して所定の入力を行うと、受付手段５２は当該入力を受け付ける（ステップＳ１）。
【００５３】
記憶手段５３は、ユーザによる入力内容を記憶する（ステップＳ２）。なお、このときに記憶される入力内容は、本処理以降、本処理とは別にＭＦＰ１５０を使用するユーザによって使用される。記憶手段５３には、別途、以前に本処理に係るユーザや他のユーザが行った入力内容が記憶されているものとする。
【００５４】
次に、入力判定手段５４は、受付手段５２に受け付けられた入力が有効か無効かを判定する（ステップＳ３）。入力判定手段５４により入力が無効であると判定されたとき（ステップＳ３、ＹＥＳ）、制御手段５５は、記憶手段５３に記憶された入力内容に応じた適切な画面を表示手段５１に表示させる（ステップＳ４）。
【００５５】
そして、ユーザが、表示手段５１としての操作パネル１５１に表示された適切な画面に対して操作を行うことにより、所望の機能を実現させる処理が実行される（ステップＳ５）。
【００５６】
他方、ステップＳ３において、受付手段５２に入力された入力が有効と判定されたときは（ステップＳ３、ＮＯ）、ユーザの所望する機能を実現させる処理がそのまま実行されることになる（ステップＳ５）。
【００５７】
上述した情報処理手順のステップＳ３における具体的な判定基準、つまり、適切な操作画面を表示させる制御を行うためのトリガーとなる条件の具体例について図９を参照して説明する。
【００５８】
図９（ａ）は、上記入力の判定について、入力判定手段５４が、受付手段５２により受け付けられる画面に対する入力が予め定められた時間ないとき、画面に対する入力が無効であると判定する手順を示したものである。例えば、ユーザが最初にＭＦＰ１５０を立ち上げてからの時間を不図示のタイマ等により計測し、計測された時間が所定の閾値を超えてもその後の入力がないとき、入力無効と判定する。
【００５９】
図９（ｂ）は、上記入力の判定について、入力判定手段５４が、画面に対して同一の入力が繰り返し行われたとき、画面に対する入力が無効であると判定する手順を示したものである。例えば、ユーザが操作パネル１５１に対して同じ操作を２回以上行ったとき、入力無効と判定する。
【００６０】
図９（ｃ）は、上記入力の判定について、入力判定手段５４が、画面に対して入力されてから予め定められた時間を経過しても上記入力に応じて実現される機能が実行されないとき、画面に対する入力が無効であると判定する手順を示したものである。例えば、ユーザが操作パネル１５１に対して所望の機能を実現させるための入力を行ったとする。この場合に、上記タイマ等により時間を計測し、所定の閾値を超えてもその入力に応じて所望の機能が実行されないとき、入力無効と判定する。
【００６１】
図９（ｄ）は、上記入力の判定について、入力判定手段５４が、画面に対する入力に応じて実現される機能が実行された後、さらに上記入力と同様の入力が行われたとき、画面に対する入力が無効であると判定する手順を示したものである。例えば、ユーザが操作パネル１５１を介して所望の機能を実現させる操作を行い、所望の機能が実行されたとする。その後、同ユーザが同じ操作を行ったとき、当該同じ操作を入力無効と判定する。
【００６２】
なお、上述する各実施の形態は、本発明の好適な実施の形態であり、本発明の要旨を逸脱しない範囲内において種々変更実施が可能である。例えば、上述した本実施形態の操作端末や電子機器における各処理を、ハードウェア、又は、ソフトウェア、あるいは、両者の複合構成を用いて実行することも可能である。
【００６３】
また、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【符号の説明】
【００６４】
１    操作端末
１０    パネル
２０、１５２    パネルコントローラ
２１、１５２１    ＣＰＵ
２２、１５２２    揮発性メモリ
２３、１５２３    不揮発性メモリ
２４、１５２５    ネットワークＩ／Ｆ
５１    表示手段
５２    受付手段
５３    記憶手段
５４    入力判定手段
５５    制御手段
１００、１５０    ＭＦＰ
１５１    操作パネル
１５３    印刷エンジン
１５４    読取装置
１５５    状態センサ
２００    テレビ会議システム
３００    プロジェクタ
５０１、５０２、５０３    電子機器
５１０    ネットワーク
１５２４    エンジンＩ／Ｆ
【先行技術文献】
【特許文献】
【００６５】
【特許文献１】特開２００３−３３３２３４号公報
【図１】
2015156121.tif 000003
【図２】
2015156121.tif 000004
【図３】
2015156121.tif 000005
【図４】
2015156121.tif 000006
【図５】
2015156121.tif 000007
【図６】
2015156121.tif 000008
【図７】
2015156121.tif 000009
【図８】
2015156121.tif 000010
【図９】
2015156121.tif 000011